(57)【要約】【課題】ユーザへの利便性を向上させることができる連携装置および連携方法を提供すること。【解決手段】実施形態に係る連携装置は、通信部と、表示部と、判定部と、通知部とを備える。通信部は、有線または無線通信により外部機器と連携接続を行う。表示部は、外部機器に保持されている外部コンテンツを含むコンテンツを表示する。判定部は、表示部に対するユーザのタッチ操作によってコンテンツの操作が可能か否かを判定する。通知部は、判定部によってタッチ操作が不可能と判定された場合には、タッチ操作が不可能である旨を示す警告情報を表示部へ表示させることでユーザへの通知を行う。【選択図】        図１
2018046417.tif 000002
【特許請求の範囲】
【請求項１】
有線または無線通信により外部機器と連携接続を行う通信部と、
前記外部機器に保持されている外部コンテンツを含むコンテンツを表示する表示部と、
前記表示部に対するユーザのタッチ操作によって前記コンテンツの操作が可能か否かを判定する判定部と、
前記判定部によって前記タッチ操作が不可能と判定された場合には、前記タッチ操作が不可能である旨を示す警告情報を前記表示部へ表示させることで前記ユーザへの通知を行う通知部と
を備えることを特徴とする連携装置。
【請求項２】
前記通知部は、
前記タッチ操作によって操作が可能な前記コンテンツと操作が不可能な前記コンテンツとを区分けしたリストを前記表示部へ表示させ、前記操作が不可能な前記コンテンツが前記タッチ操作によって選択された場合に、前記警告情報を前記表示部へ表示させること
を特徴とする請求項１に記載の連携装置。
【請求項３】
音声を出力する音声出力部
を備え、
前記通知部は、
前記判定部によって前記タッチ操作が不可能と判定された場合には、前記警告情報に対応する音声情報を前記音声出力部に音声出力させること
を特徴とする請求項１または２に記載の連携装置。
【請求項４】
前記表示部を振動させる振動部
を備え、
前記通知部は、
前記判定部によって前記タッチ操作が不可能と判定された場合には、前記タッチ操作に応じて前記振動部を振動させること
を特徴とする請求項１、２または３に記載の連携装置。
【請求項５】
前記外部機器と前記連携接続された状態で装置の電源を切断後、再起動した場合に、
前記通知部は、
前記再起動時に、前記警告情報を前記表示部に表示させること
を特徴とする請求項１〜４のいずれか一つに記載の連携装置。
【請求項６】
前記判定部は、
前記外部機器との接続方式に基づき、前記タッチ操作によって前記コンテンツの操作が可能か否かを判定すること
を特徴とする請求項１〜５のいずれか一つに記載の連携装置。
【請求項７】
有線または無線通信により外部機器と連携接続を行う通信工程と、
前記外部機器に保持されている外部コンテンツを含むコンテンツを表示する表示工程と、
前記表示工程におけるユーザのタッチ操作によって前記コンテンツの操作が可能か否かを判定する判定工程と、
前記判定工程において前記タッチ操作が不可能と判定された場合には、前記タッチ操作が不可能である旨を示す警告情報を前記表示工程において表示させることで前記ユーザへの通知を行う通知工程と
を含むことを特徴とする連携方法。
【発明の詳細な説明】
【技術分野】
【０００１】
本発明は、連携装置および連携方法に関する。
【背景技術】
【０００２】
従来、有線または無線通信によって接続された外部機器と連携動作する連携装置が知られている。かかる連携装置は、ユーザによるタッチ操作を受け付ける表示部を備え、通信による接続によって外部機器に保持されている外部コンテンツを含むコンテンツを表示部に表示する（例えば、特許文献１参照）。
【先行技術文献】
【特許文献】
【０００３】
【特許文献１】特開２０１５−１１１７５２号公報
【発明の概要】
【発明が解決しようとする課題】
【０００４】
しかしながら、上記した従来技術に係る連携装置は、表示部に対するユーザのタッチ操作によって外部コンテンツを操作できたり、操作できなかったりする場合があった。このため、ユーザが連携装置に対して無用な操作を行うことになり、ユーザにとって利便性が良くなかった。
【０００５】
このように、上記した従来技術に係る連携装置には、ユーザへの利便性の向上という点で改善の余地があった。
【０００６】
本発明は、上記に鑑みてなされたものであって、ユーザへの利便性を向上させることができる連携装置および連携方法を提供することを目的とする。
【課題を解決するための手段】
【０００７】
上記課題を解決し、目的を達成するために、本発明の連携装置は、通信部と、表示部と、判定部と、通知部とを備える。通信部は、有線または無線通信により外部機器と連携接続を行う。表示部は、外部機器に保持されている外部コンテンツを含むコンテンツを表示する。判定部は、表示部におけるユーザのタッチ操作によって操作が可能か否かを判定する。通知部は、判定部によってタッチ操作が不可能と判定された場合には、タッチ操作が不可能である旨を示す警告情報を表示部へ表示させることでユーザへの通知を行う。
【発明の効果】
【０００８】
本発明によれば、ユーザへの利便性を向上させることができる連携装置および連携方法を提供することができる。
【図面の簡単な説明】
【０００９】
【図１】図１は、第１の実施形態に係る車載装置の概要を示す図である。
【図２】図２は、第１の実施形態に係る車載装置の搭載の一例を示す図である。
【図３】図３は、第１の実施形態に係る車載装置の構成の一例を示すブロック図である。
【図４Ａ】図４Ａは、第１の実施形態に係る車載装置の表示部の画面における動作を説明する説明図（その１）である。
【図４Ｂ】図４Ｂは、第１の実施形態に係る車載装置の表示部の画面における動作を説明する説明図（その２）である。
【図５Ａ】図５Ａは、第１の実施形態に係る車載装置の表示部の画面における動作を説明する説明図（その３）である。
【図５Ｂ】図５Ｂは、第１の実施形態に係る車載装置の表示部の画面における動作を説明する説明図（その４）である。
【図６Ａ】図６Ａは、第１の実施形態に係る車載装置の表示部の画面における動作を説明する説明図（その５）である。
【図６Ｂ】図６Ｂは、第１の実施形態に係る車載装置の表示部の画面における動作を説明する説明図（その６）である。
【図７】図７は、第１の実施形態に係る車載装置の表示部の画面における動作を説明する説明図（その７）である。
【図８】図８は、第１の実施形態に係る車載装置が実行する処理手順を示すフローチャートである。
【図９Ａ】図９Ａは、第２の実施形態に係る車載装置の表示部の画面における動作を説明する説明図（その１）である。
【図９Ｂ】図９Ｂは、第２の実施形態に係る車載装置の表示部の画面における動作を説明する説明図（その２）である。
【図１０】図１０は、第２の実施形態に係る車載装置が実行する処理手順を示すフローチャートである。
【発明を実施するための形態】
【００１０】
以下、添付図面を参照して、本願の開示する連携装置および連携方法の実施形態を詳細に説明する。なお、以下に示す実施形態によりこの発明が限定されるものではない。
【００１１】
（第１の実施形態）
以下では、連携装置１が、車両などに搭載される車載装置１である場合を例にして説明する。図１は、第１の実施形態に係る車載装置１の概要を示す図である。
【００１２】
実施形態に係る車載装置１は、有線または無線通信によって接続が確立された外部機器２、例えば、スマートフォン、タブレット、携帯電話、ＰＤＡ（Personal  Digital  Assistant）などと連携動作を行う。また、実施形態に係る車載装置１は、例えば、車両に搭載される電子機器であり、目的地までのルートを案内するナビゲーション機能や楽曲を再生するオーディオ機能などの各種機能を実行する。
【００１３】
かかる車載装置１は、ユーザによるタッチ操作を受け付ける表示部１０を備え、通信による接続によって外部機器２に保持されている外部コンテンツを含むコンテンツを表示部１０の画面１１に表示する。具体的には、かかる車載装置１は、有線または無線通信によって外部機器２との接続が確立されると、外部機器２に保持されている「外部コンテンツ」もしくは車載装置１に保持されている「内部コンテンツ」を、表示部１０の表示画面１１に表示する。この例では、車載装置１の表示部１０の画面１１には、ある音楽コンテンツの映像「♪」が表示されている。なお、以下では、上記した「外部コンテンツ」および「内部コンテンツ」を単に「コンテンツ」と記載することとする。
【００１４】
ここで、図１を用いて、外部機器２と車載装置１との接続を確立させて車載装置１の表示部１０の画面１１にコンテンツを表示させた場合における従来の問題点について説明する。従来、ユーザは、画面１１に表示されている音楽コンテンツの映像「♪」が、外部機器２に保持されているコンテンツなのか、車載装置１に保持されているコンテンツなのか認識できないことがあった。
【００１５】
具体的には、例えば、車載装置１と外部機器２との間で画面１１におけるタッチ操作の連携ができておらず、画面１１へのタッチ操作で、外部機器２に保持されている外部コンテンツを操作することができない場合がある。
【００１６】
かかる場合、ユーザは、車載装置１のスピーカから外部機器２に保持されている音楽コンテンツの楽曲が音声出力されるため、車載装置１のオーディオ機能で早送りなどの操作が可能と勘違いして、無駄に画面１１においてタッチ操作を行ってしまうことがあった。つまり、外部機器２に保持されているコンテンツを車載装置１へ入力することはできるが、かかるコンテンツを車載装置１側で操作できないことがあった。
【００１７】
そこで、実施形態に係る車載装置１は、外部機器２に保持されているコンテンツが、表示部１０の画面１１におけるユーザのタッチ操作によって操作が可能か否かを判定する。かかる判定の開始は、例えば、表示部１０の画面１１を指９でタッチ操作することで行われる（図１、ステップＳ１）。
【００１８】
なお、かかる判定の開始は、例えば、表示部１０に設けられた所定のパネルスイッチボタン（メニューボタン）を指９でスイッチ操作することで行ってもよい。また、本実施形態では、外部機器２が車載装置１に接続されると、車載装置１の表示部１０の画面１１に、外部機器２に保持されているコンテンツが表示される。
【００１９】
そして、実施形態に係る車載装置１は、タッチ操作が不可能と判定された場合、外部機器２に保持されているコンテンツの操作と車載装置１に保持されているコンテンツの操作とが同じ操作性で実現できないことを示す警告情報３を表示させる（図１、ステップＳ２）。
【００２０】
かかる警告情報３は、例えば、車載装置１に保持されているコンテンツ（「ＣＤ」、「地デジ」、「ＡＭ/ＦＭラジオ」など）を示す情報３０（以下、「コンテンツ情報３０」と称する。）と、外部ＡＶ機器を示す情報３１（以下、「外部ＡＶ機器情報３１」と称する。）とを区分けしたリストである。
【００２１】
すなわち、警告情報３は、同じ操作性で実現できないことを示すために、コンテンツ情報３０と外部ＡＶ機器情報３１とがそれぞれ別のグループで括られている。この例では、コンテンツ情報３０は、画面１１におけるタッチ操作が可能であることをユーザへ通知するため、太い線で括られている。また、外部ＡＶ機器情報３１は、画面１１におけるタッチ操作が不可能であることをユーザへ通知するため、コンテンツ情報３０を括る線よりも細い線で括られている。また、外部ＡＶ機器情報３１の表示色をグレー表示などの操作不可を示す色としてもよい。
【００２２】
一方、実施形態に係る車載装置１は、タッチ操作が可能と判定された場合、外部機器２に保持されているコンテンツの操作と車載装置１に保持されているコンテンツの操作とが同じ操作性で実現できることを示す通知情報４を表示させる（図１、ステップＳ３）。
【００２３】
かかる通知情報４は、例えば、車載装置１に保持されているコンテンツ（「ＣＤ」、「地デジ」、「ＡＭ/ＦＭラジオ」など）と外部ＡＶ機器を示す情報からなる。
【００２４】
また、通知情報４は、同じ操作性で実現できることを示すために、車載装置１に保持されているコンテンツと外部ＡＶ機器とが同じグループで括られている。この例では、通知情報４は、画面１１におけるタッチ操作が可能であることをユーザへ通知するため、太い線で括られている。
【００２５】
このように、実施形態に係る車載装置１は、画面１１に「警告情報３」もしくは「通知情報４」を表示させるので、ユーザが、外部機器２に保持されているコンテンツを、画面１１におけるタッチ操作によって操作可能か否かを容易に知ることができる。
【００２６】
また、実施形態に係る車載装置１は、外部ＡＶ機器情報３１が表示された領域の画面１１に対してユーザがタッチ操作を行った場合に、画面１１に、タッチ操作が不可能である旨を示す警告情報を表示させることでユーザへの通知を行う。
【００２７】
また、実施形態に係る車載装置１は、タッチ操作が不可能である旨を示す警告情報に対応する音声情報を後述する音声出力部に音声出力させることでユーザへの通知を行う。
【００２８】
さらに、実施形態に係る車載装置１は、外部ＡＶ機器情報３１が表示された領域の画面１１に対してユーザがタッチ操作を行った場合に、かかるタッチ操作に応じて後述する振動部を振動させることでユーザへの通知を行う。
【００２９】
これらにより、実施形態に係る車載装置１は、外部機器２に保持されているコンテンツを、画面１１におけるタッチ操作によって操作が不可能であることをユーザに対して確実に知らせることができる。
【００３０】
以下では、図１を用いて説明した第１の実施形態に係る車載装置１について詳細に説明する。まず、第１の実施形態に係る車載装置１の構成について図２および図３を用いて説明する。図２は、第１の実施形態に係る車載装置１の搭載の一例を示す図である。図３は、第１の実施形態に係る車載装置１の構成の一例を示すブロック図である。
【００３１】
なお、図３では、本実施形態の特徴を説明するために必要な構成要素のみを機能ブロックで表しており、一般的な構成要素についての記載を省略している。
【００３２】
つまり、図３に図示される各構成要素は機能概念的なものであり、必ずしも物理的に図示のように構成されていることを要しない。たとえば、各機能ブロックの分散・統合の具体的形態は図示のものに限られず、その全部または一部を、各種の負担や使用状況などに応じて、任意の単位で機能的または物理的に分散・統合して構成することが可能である。
【００３３】
図２に示すように、車載装置１は、自動車などの車両１００に搭載される。かかる車載装置１は、表示部１０と、音声出力部１２と、後部表示部１３とを備える。また、外部機器２は、車両１００の車室内に配置される。
【００３４】
表示部１０は、液晶パネルなどの画面１１を備え、例えば、車室内のインスルメントパネルに設けられる。音声出力部１２は、スピーカなどを備え、例えば、車両１００のインスルメントパネル、ドア、リアダッシュボードなどに設けられる。
【００３５】
後部表示部１３は、液晶パネルなどの画面を備え、後部座席の搭乗者に映像を表示できるように、例えば、車両１００の内部中央付近の天井に設けられる。本実施形態では、後部表示部１３は、表示部１０と連動しており、表示部１０と同じように、自身の画面に「警告情報３」もしくは「通知情報４」を表示する。
【００３６】
また、図３に示すように、車載装置１は、操作部１４と、通信部１５、振動部１６と、制御部５と、記憶部６とをさらに備える。
【００３７】
操作部１４は、運転者や同乗者などのユーザの操作を受け付ける。かかる操作部１４としては、例えば、表示部１０に設けられるパネルスイッチボタンや表示部１０の画面１１に設けられるタッチパネルなどを用いることができる。
【００３８】
通信部１５は、ＵＳＢ（Universal  Serial  Bus）方式、ＲＣＡ（登録商標）方式、ＨＤＭＩ（登録商標）方式などの有線通信またはＷｉＦｉ（登録商標）方式、Ｍｉｒａｃａｓｔ（登録商標）方式、Ｂｌｕｅｔｏｏｔｈ（登録商標）方式などの無線通信により外部機器２との間で連携接続を行う。また、通信部１５は、外部機器２からの接続方式を示す接続データを受信し、受信した接続データを後述する判定部５１に送信する。
【００３９】
振動部１６は、後述する通知部５２の制御に従って画面１１を振動させる。なお、振動部１６の詳細については、図４Ａ，図４Ｂなどを参照して後述する。
【００４０】
制御部５は、例えば、ＣＰＵ（Central  Processing  Unit）、ＲＯＭ（Read  Only  Memory）、およびＲＡＭ（Random  Access  Memory）、入出力ポートなどを有するマイクロコンピュータや各種の回路を含む。かかる制御部５は、表示部１０、音声出力部１２、後部表示部１３、操作部１４、通信部１５、振動部１６、および記憶部６などを制御する機能を備える。具体的には、制御部５は、操作受付部５０と、判定部５１と、通知部５２とを備える。
【００４１】
操作受付部５０は、操作部１４を介して入力されたユーザからの操作に基づく指示情報を受け付ける。また、操作受付部５０は、画面１１に設けられたタッチパネルに対するユーザのタッチ操作によって受け付けた指示情報を判定部５１へ出力する。
【００４２】
判定部５１は、操作受付部５０からの指示情報に応じて、外部機器２に保持されているコンテンツを、表示部１０の画面１１におけるユーザのタッチ操作によって操作が可能か否かを判定する。具体的には、判定部５１は、通信部１５からのＵＳＢ方式やＷｉＦｉ方式などの接続方式を示す接続データと、後述する接続方式データベース６１にあらかじめ格納されているＵＳＢ方式やＷｉＦｉ方式などの接続方式を示す接続データとに基づいて判定する。
【００４３】
より具体的には、判定部５１は、通信部１５からの接続方式を示す接続データがＵＳＢ方式であり、接続方式データベース６１にあらかじめ格納されている接続データがＲＣＡ方式である場合、接続方式が一致しないことから、画面１１におけるタッチ操作が不可能であると判定する。
【００４４】
また、判定部５１は、通信部１５からの接続方式を示す接続データがＭｉｒａｃａｓｔ方式であり、接続方式データベース６１にあらかじめ格納されている接続データがＭｉｒａｃａｓｔ方式である場合、接続方式が一致することから、画面１１におけるタッチ操作が可能であると判定する。
【００４５】
また、判定部５１は、タッチ操作によって操作が可能か否かの判定結果を表す情報を、通知部５２および記憶部６へ出力する。
【００４６】
通知部５２は、判定部５１によってタッチ操作が不可能の判定結果を表す情報を受信した場合に、表示部１０の画面１１および後部表示部１３の画面に、「警告情報３」を表示させる。
【００４７】
また、通知部５２は、判定部５１によってタッチ操作が可能の判定結果を表す情報を受信した場合に、表示部１０の画面１１および後部表示部１３の画面に、「通知情報４」を表示させる。
【００４８】
また、通知部５２は、警告情報３のうち外部ＡＶ機器情報３１が表示された領域の表示部１０の画面１１および後部表示部１３の画面に対してユーザがタッチ操作を行った場合に、画面１１および後部表示部１３の画面に、タッチ操作が不可能である旨を示す警告情報を表示させる。
【００４９】
また、通知部５２は、タッチ操作が不可能である旨を示す警告情報もしくはタッチ操作が可能である旨を示す警告情報に対応した音声情報を音声出力部１２に音声出力させる。
【００５０】
また、通知部５２は、警告情報３のうち外部ＡＶ機器情報３１が表示された領域の画面１１に対してユーザがタッチ操作を行った場合に、かかるタッチ操作に応じて振動部１６を振動させる。
【００５１】
記憶部６は、不揮発性メモリやハードディスクドライブといった記憶デバイスで構成され、判定情報６０および接続方式データベース６１などを含む。
【００５２】
判定情報６０は、外部機器２に保持されているコンテンツを、表示部１０の画面１１におけるユーザのタッチ操作によって操作が可能か否かの判定結果を表す情報である。
【００５３】
接続方式データベース６１は、外部機器２と連携接続するために、ＵＳＢ方式やＷｉＦｉ方式などの接続方式を示す接続データを格納したものである。
【００５４】
次に、上記のように構成された車載装置１の表示部１０の画面１１における一連の操作について図４Ａ〜図７を参照しながら具体的に説明する。
【００５５】
まず、タッチ操作が不可能と判定されて表示部１０の画面１１に「警告情報３」が表示された場合の操作について、図４Ａおよび図４Ｂを用いて説明する。なお、表示部１０の画面１１には、外部機器２に保持されている音楽コンテンツの映像「♪」が表示されているものとする。
【００５６】
図４Ａおよび図４Ｂは、第１の実施形態に係る車載装置１の表示部１０の画面１１における動作を説明する説明図（その１）および（その２）である。なお、図１に示す構成要素と同様の機能を有する構成要素については、図１に示す符号と同一の符号を付すことにより、その説明を省略する。
【００５７】
ここで、振動部１６について図４Ａを用いて説明する。図４Ａに示すように、車載装置１は、表示部１０の画面１１を振動させる振動部１６を備える。かかる振動部１６は、例えば、振動素子７０である。本実施形態では、振動部１６が画面１１を挟む位置に配置された振動素子７０を二つ備える例を示している。
【００５８】
かかる振動素子７０は、例えば、圧電素子（ピエゾ素子）であり、画面１１を超音波領域体で振動させることができる。なお、振動部１６は振動素子７０に限られず、画面１１を振動させるモータであってもよい。
【００５９】
図４Ａに示すように、音楽コンテンツの映像「♪」が表示されている画面１１に「警告情報３」がオンスクリーン表示されているにもかかわらず、警告情報３のうち外部ＡＶ機器情報３１が表示された領域の表示部１０の画面１１に対してユーザがタッチ操作を行ったとする。なお、オンスクリーン表示とは、背景となる「♪」の画像に「警告表示３」を重ねて表示し、「警告情報３」の表示が不要な場合には、「警告情報３」を消去する表示方法である。
【００６０】
かかる場合、図４Ｂに示すように、実施形態に係る車載装置１の通知部５２は、画面１１に、例えば、「外部ＡＶ機器でのこの操作はナビから操作できません」というタッチ操作が不可能である旨を示す警告情報３２をオンスクリーン表示させる。
【００６１】
また、同時に、実施形態に係る車載装置１の通知部５２は、タッチ操作が不可能である旨を示す警告情報３２に対応した音声情報、この例では、「外部ＡＶ機器でのこの操作はナビから操作できません」という音声情報を音声出力部１２に音声出力させる。
【００６２】
また、同時に、実施形態に係る車載装置１の通知部５２は、タッチ操作に応じて振動部１６を振動させて画面１１を超音波領域体で振動させることで、画面１１に接触している指９に振動を与える。
【００６３】
一方、警告情報３のうちコンテンツ情報３０が表示された領域の表示部１０の画面１１に対してユーザがタッチ操作を行ったとする。具体的には、例えば、「ＡＭ/ＦＭラジオ」に隣接して表示された「□」のボタン表示をユーザが指９でタッチしたとする。
【００６４】
かかる場合、実施形態に係る車載装置１の操作受付部５０は、画面１１に、車載装置１に保持されている「ＡＭ/ＦＭラジオ」のコンテンツを操作する操作情報を表示させる。
【００６５】
次に、タッチ操作が可能と判定されて表示部１０の画面１１に「通知情報４」が表示された場合の操作ついて、図５Ａ〜図６Ｂを用いて説明する。なお、表示部１０の画面１１には、外部機器２に保持されている音楽コンテンツの映像「♪」が表示されているものとする。
【００６６】
図５Ａ〜図６Ｂは、第１の実施形態に係る車載装置１の表示部１０の画面１１における動作を説明する説明図（その３）〜（その６）である。なお、図１、図４Ａおよび図４Ｂに示す構成要素と同様の機能を有する構成要素については、図１、図４Ａおよび図４Ｂに示す符号と同一の符号を付すことにより、その説明を省略する。
【００６７】
図５Ａに示すように、音楽コンテンツの映像「♪」が表示されている画面１１に「通知情報４」がオンスクリーン表示されており、通知情報４のうち「外部ＡＶ機器」に隣接して表示された「□」のボタン表示をユーザが指９でタッチしたとする。
【００６８】
かかる場合、図５Ｂに示すように、実施形態に係る車載装置１の操作受付部５０は、画面１１に、例えば、外部機器２に保持されている音楽コンテンツを操作する操作情報４０をオンスクリーン表示させる。また、同時に、実施形態に係る車載装置１の操作受付部５０は、画面１１に、操作ボタン４１ａ，４１ｂおよび決定ボタン４２をオンスクリーン表示させる。
【００６９】
そして、図６Ａに示すように、例えば、操作ボタン４１ｂをユーザが指９で１回タッチしたとする。かかる場合、実施形態に係る車載装置１の操作受付部５０は、操作情報４０内に表示されている囲みカーソルを「２．楽曲Ｂ」から「３．楽曲Ｃ」へ移動させ、画面１１に、「３．楽曲Ｃ」に対応する音楽コンテンツの映像「♭」を表示させる。
【００７０】
続けて、決定ボタン４２をユーザが指９でタッチしたとする。かかる場合、図６Ｂに示すように、実施形態に係る車載装置１の操作受付部５０は、操作情報４０、操作ボタン４１ａ，４１ｂ、および決定ボタン４２の表示を画面１１から消去させる。
【００７１】
そして、実施形態に係る車載装置１の操作受付部５０は、外部機器２に保持されている音楽コンテンツの映像「♭」に付加されている音楽を音声出力部１２から出力させる。
【００７２】
なお、実施形態に係る車載装置１における音量を調整するための音量操作は、表示部１０に設けられた所定のパネルスイッチボタン（音量ボタン）を指９でスイッチ操作することで行われる（図７参照）。図７は、第１の実施形態に係る車載装置１の表示部１０の画面１１における動作を説明する説明図（その７）である。
【００７３】
図７に示すように、音楽コンテンツの映像「♪」が表示されている画面１１において、表示部１０に設けられた音量ボタンを指９で押下したとする。かかる場合、実施形態に係る車載装置１の操作受付部５０は、画面１１に、音量操作情報４３をオンスクリーン表示させる。
【００７４】
つまり、実施形態に係る車載装置１は、タッチ操作が不可能と判定されて画面１１に「警告情報３」が表示された場合でも、外部機器２に保持されている音楽コンテンツを操作することはできないが、かかる音楽コンテンツの楽曲の音量を上記のようにして調整することができる。
【００７５】
なお、実施形態に係る車載装置１の操作受付部５０は、ユーザが外部機器２に保持されている音楽コンテンツの楽曲の音量を調整して音質を設定した場合に、かかる音質設定値を記憶部６に記憶部６させる。
【００７６】
そして、実施形態に係る車載装置１の操作受付部５０は、一度視聴した外部機器２に保持されている音楽コンテンツを再び視聴する場合に、記憶部６に記憶されている音量設定値に基づいて、かかる音楽コンテンツの楽曲の音量を調整する。
【００７７】
これにより、実施形態に係る車載装置１は、一度視聴した外部機器２に保持されている音楽コンテンツの楽曲の音量を自動で調整することができる。
【００７８】
次に、上記のように構成された車載装置１における一連の処理方法について図８を参照しながら説明する。図８は、第１の実施形態に係る車載装置１が実行する処理手順を示すフローチャートである。
【００７９】
図８に示すように、第１の実施形態に係る車載装置１は、まず、車載装置１に外部機器２が接続されているか否かを判定する（ステップＳ１０１）。車載装置１に外部機器２が接続されていない場合（ステップＳ１０１，Ｎｏ）、処理を終了する。
【００８０】
車載装置１に外部機器２が接続されている場合（ステップＳ１０１，Ｙｅｓ）、車載装置１は、外部機器２に保持されているコンテンツを、表示部１０の画面１１におけるユーザのタッチ操作によって操作が可能か否かを判定する（ステップＳ１０２）。
【００８１】
車載装置１は、タッチ操作が可能と判定された場合（ステップＳ１０２，Ｙｅｓ）、画面１１に、外部機器２に保持されているコンテンツの操作と車載装置１に保持されているコンテンツの操作とが同じ操作性で実現できることを示す「通知情報４」を表示させる（ステップＳ１０３）。
【００８２】
一方、車載装置１は、タッチ操作が不可能と判定された場合（ステップＳ１０２，Ｎｏ）、画面１１に、外部機器２に保持されているコンテンツの操作と車載装置１に保持されているコンテンツの操作とが同じ操作性で実現できないことを示す「警告情報３」を表示させる（ステップＳ１０４）。
【００８３】
そして、車載装置１は、警告情報３のうち外部ＡＶ機器情報３１が表示された領域の表示部１０の画面１１に対してユーザによるタッチ操作があった否かを判定する（ステップＳ１０５）。
【００８４】
ユーザによるタッチ操作がなかった場合（ステップＳ１０５，Ｎｏ）、車載装置１は、ステップ１０４からの処理を繰り返す。
【００８５】
一方、車載装置１は、ユーザによるタッチ操作があった場合（ステップＳ１０５，Ｙｅｓ）、画面１１に、タッチ操作が不可能である旨を示す警告情報３２を表示させる（ステップ１０６）。
【００８６】
また、同時に、車載装置１は、タッチ操作が不可能である旨を示す警告情報３２に対応する音声情報を音声出力部１２に音声出力させるとともに、タッチ操作に応じて振動部１６を振動させることで、処理を終了する。
【００８７】
上述した第１の実施形態に係る車載装置１は、通信部１５と、表示部１０と、判定部５１と、通知部５２とを備える。
【００８８】
通信部１５は、有線または無線通信により外部機器２と連携接続を行う。表示部１０は、外部機器２に保持されている外部コンテンツを含むコンテンツを表示する。判定部５１は、表示部１０に対するユーザのタッチ操作によって外部コンテンツの操作が可能か否かを判定する。
【００８９】
通知部５２は、判定部５１によってタッチ操作が不可能と判定された場合に、タッチ操作によって操作が可能な内部コンテンツと操作が不可能な外部コンテンツとを区分けしたリスト（「警告情報３」）を表示させることでユーザへの通知を行う。
【００９０】
また、通知部５２は、操作が不可能な外部コンテンツがタッチ操作によって選択された場合に、タッチ操作が不可能である旨を示す警告情報３２を表示部１０へ表示させる。
【００９１】
これらにより、上述した第１の実施形態に係る車載装置１は、表示部１０に対するユーザのタッチ操作によって外部コンテンツの操作が可能か否かを容易に知ることができる。
【００９２】
また、上述した第１の実施形態に係る車載装置１は、運転中によるユーザの表示部１０への不要なタッチ操作を減らすことができる。
【００９３】
また、上述した第１の実施形態に係る車載装置１は、警告情報３２に対応する音声情報を音声出力部１２に音声出力させることでユーザへの通知を行う。
【００９４】
さらに、上述した第１の実施形態に係る車載装置１は、判定部５１によってタッチ操作が不可能と判定された場合には、タッチ操作に応じて振動部１６を振動させることでユーザへの通知を行う。
【００９５】
これらにより、上述した第１の実施形態に係る車載装置１は、外部機器２に保持されている外部コンテンツを、表示部１０におけるタッチ操作によって操作が不可能であることをユーザに対して確実に知らせることができる。
【００９６】
また、上述した第１の実施形態に係る車載装置１は、外部機器２との接続方式に基づき、表示部１０に対するユーザのタッチ操作によって外部コンテンツの操作が可能か否かを判定する。
【００９７】
これにより、上述した第１の実施形態に係る車載装置１は、表示部１０に対するユーザのタッチ操作によって外部コンテンツの操作が可能か否かを容易に判定することができる。
【００９８】
なお、上述した第１の実施形態に係る車載装置１は、判定部５１によってタッチ操作が不可能と判定された場合に「警告情報３」を表示させ、操作が不可能な外部コンテンツがタッチ操作によって選択された場合に警告情報３２を表示部１０へ表示させているが、この形態に限られない。
【００９９】
他の形態としては、車載装置１は、判定部５１によってタッチ操作が不可能と判定された場合に「警告情報３」の表示を省いて警告情報３２を表示部１０へ表示させてもよい。また、同時に、警告情報３２に対応する音声情報を音声出力部１２に音声出力させる。
【０１００】
かかる形態であっても、表示部１０に対するユーザのタッチ操作によって外部コンテンツの操作が可能か否かを容易に知ることができる。
【０１０１】
（第２の実施形態）
第２の実施形態では、外部機器２が連携接続された状態で、ユーザが降車するなどして、車載装置１の電源をいったん切断した後に、再乗車して車載装置１を再起動させた場合について説明する。第２の実施形態に係る車載装置１は、車載装置１が再起動された場合に、上記したタッチ操作が不可能である旨を示す警告情報を表示する。
【０１０２】
具体的には、第２の実施形態に係る車載装置１の通知部５２（図３参照）は、車載装置１の再起動時に、判定部５１によって操作が不可能と判定された場合に、画面１１に、タッチ操作が不可能である旨を示す警告情報を表示させることでユーザへの通知を行う。
【０１０３】
一方、通知部５２は、車載装置１の再起動時に、判定部５１によって操作が可能と判定された場合に、画面１１に、タッチ操作が可能である旨を示す警告情報を表示させることでユーザへの通知を行う。
【０１０４】
ここで、図９Ａおよび図９Ｂを参照して、外部機器２に連携接続された状態で、車載装置１の電源をいったん切断した後に、車載装置１を再起動させた場合の、車載装置１の表示部１０の画面１１における動作について説明する。
【０１０５】
図９Ａおよび図９Ｂは、第２の実施形態に係る車載装置１の表示部１０の画面１１における動作を説明する説明図（その１）および（その２）である。なお、図４Ａおよび図４Ｂに示す構成要素と同様の機能を有する構成要素については、図４Ａおよび図４Ｂに示す符号と同一の符号を付すことにより、その説明を省略する。また、表示部１０の画面１１には、起動時に外部機器２に保持されている音楽コンテンツの映像「♪」が表示されるものとする。
【０１０６】
図９Ａに示すように、実施形態に係る車載装置１の通知部５２は、再起動時に、判定部５１によってタッチ操作が不可能と判定された場合には、画面１１に、例えば、「外部ＡＶ機器はナビから操作できません」というタッチ操作が不可能である旨を示す警告情報４４をオンスクリーン表示させる。
【０１０７】
また、同時に、実施形態に係る車載装置１の通知部５２は、タッチ操作が不可能である旨を示す警告情報４４に対応した音声情報、この例では、「外部ＡＶ機器はナビから操作できません」という音声情報を音声出力部１２に音声出力させる。
【０１０８】
一方、図９Ｂに示すように、実施形態に係る車載装置１の通知部５２は、再起動時に、判定部５１によってタッチ操作が可能と判定された場合には、画面１１に、例えば、「外部ＡＶ機器はナビから操作できます」というタッチ操作が可能である旨を示す警告情報４５をオンスクリーン表示させる。
【０１０９】
また、同時に、実施形態に係る車載装置１の通知部５２は、タッチ操作が可能である旨を示す警告情報４５に対応した音声情報、この例では、「外部ＡＶ機器はナビから操作できます」という音声情報を音声出力部１２に音声出力させる。
【０１１０】
次に、上記のように構成された車載装置１における一連の処理方法について図１０を参照しながら説明する。図１０は、第２の実施形態に係る車載装置１が実行する処理手順を示すフローチャートである。
【０１１１】
図１０に示すように、第２の実施形態に係る車載装置１は、まず、車載装置１の再起動時に外部機器２が車載装置１に接続されているか否かを判定する（ステップＳ２０１）。車載装置１に外部機器２が接続されていない場合（ステップＳ２０１，Ｎｏ）、処理を終了する。
【０１１２】
車載装置１に外部機器２が接続されている場合（ステップＳ２０１，Ｙｅｓ）、車載装置１は、外部機器２に保持されているコンテンツを、表示部１０の画面１１におけるユーザのタッチ操作によって操作が可能か否かを判定する（ステップＳ２０２）。
【０１１３】
車載装置１は、タッチ操作が可能と判定された場合（ステップＳ２０２，Ｙｅｓ）、画面１１に、タッチ操作が可能である旨を示す警告情報４５を表示させるとともに、警告情報４５に対応した音声情報を音声出力部１２に音声出力させることでユーザへの通知を行い（ステップＳ２０３）、処理を終了する。
【０１１４】
一方、車載装置１は、タッチ操作が不可能と判定された場合（ステップＳ２０２，Ｎｏ）、画面１１に、タッチ操作が不可能である旨を示す警告情報４４を表示させるとともに、警告情報４４に対応した音声情報を音声出力部１２に音声出力させることでユーザへの通知を行い（ステップＳ２０４）、処理を終了する。
【０１１５】
上述した第２の実施形態に係る車載装置１は、外部機器２と連携接続された状態で装置の電源を切断後、再起動した場合に、再起動時に、判定部５１によって操作が不可能と判定された場合、タッチ操作が不可能である旨を示す警告情報４４を表示させることでユーザへの通知を行う通知部５２を備える。
【０１１６】
また、通知部５２は、再起動時に、判定部５１によって操作が可能と判定された場合、タッチ操作が可能である旨を示す警告情報４５を表示させることでユーザへの通知を行う。
【０１１７】
これにより、上述した第２の実施形態に係る車載装置１は、外部機器２が連携接続された状態で、ユーザが降車するなどして、車載装置１の電源をいったん切断した後に、再乗車して車載装置１を再起動させた場合でも、表示部１０に対するユーザのタッチ操作によって外部コンテンツの操作が可能か否かを容易に知ることができる。
【０１１８】
なお、上述した第１および第２の実施形態に係る車載装置１は、車両などに搭載されていなくてもよく、どのような状況下においても使用可能である。
【０１１９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２０】
１        連携装置（車載装置）
１０      表示部
１１      画面
１２      音声出力部
１３      後部表示部
１４      操作部
１５      通信部
１６      振動部
２        外部機器
３        警告情報
３０      コンテンツ情報
３１      外部ＡＶ機器情報
３２      警告情報
４        通知情報
４０      操作情報
４１ａ    操作ボタン
４１ｂ    操作ボタン
４２      決定ボタン
４３      音量操作情報
４４      警告情報
４５      警告情報
５        制御部
５０      操作受付部
５１      判定部
５２      通知部
６        記憶部
６０      判定情報
６１      接続方式データベース
７０      振動素子
９        指
【図１】
2018046417.tif 000003
【図２】
2018046417.tif 000004
【図３】
2018046417.tif 000005
【図４Ａ】
2018046417.tif 000006
【図４Ｂ】
2018046417.tif 000007
【図５Ａ】
2018046417.tif 000008
【図５Ｂ】
2018046417.tif 000009
【図６Ａ】
2018046417.tif 000010
【図６Ｂ】
2018046417.tif 000011
【図７】
2018046417.tif 000012
【図８】
2018046417.tif 000013
【図９Ａ】
2018046417.tif 000014
【図９Ｂ】
2018046417.tif 000015
【図１０】
2018046417.tif 000016